(57)【特許請求の範囲】
【請求項１】
容器本体（１）の肩部（３）に、容器本体（１）とは異材質で形成された肩パーツである装着部材（１１）が装着され、容器本体（１）の肩部（３）に係止溝（７）が周方向に略全周に亘って設けられ、装着部材（１１）の下部に肩部（３）の係止溝（７）に下側から係合する係合部（１５）が設けられた容器において、
容器本体（１）の肩部（３）から胴部（２）側に亘って嵌合凹部（１９）が設けられ、嵌合凹部（１９）の上下方向中途部に段部（２０）が設けられ、肩パーツである装着部材（１１）に、操作片（２２）がヒンジ部（２３）を介して嵌合凹部（１９）に嵌合するように設けられ、装着部材（１１）の操作片（２２）側に、作用片（２４）が段部（２０）上に沿うように突設されて、操作片（２２）をヒンジ部（２３）で屈曲するように操作したとき、作用片（２４）の先端側が段部（２０）に押圧接当して該作用片（２４）の先端側を支点に作用片（２４）が回動することにより、作用片（２４）が装着部材（１１）を容器本体（１）から離間させるべく押圧作用するように構成され、嵌合凹部（１９）に対応する部分の肩部（３）の係止溝（７）は嵌合凹部（１９）の形成によって切り欠かれていることを特徴とする容器。
【発明の詳細な説明】
【０００１】
【発明の属する技術分野】
本発明は、容器本体に、該容器本体とは異材質で形成された装着部材が装着された容器に関する。
【０００２】
【従来の技術】
ガラス瓶やスプレー缶等の容器には、美観、耐衝撃性、安定性を高める等の理由から瓶や缶により形成した容器本体に、合成樹脂等の該容器本体とは異材質で形成した装着部材を、容器本体の肩部や底部に装着するようにしたものがある。この装着部材は、容器を使用している間は、容器本体から不測に外れないように容器本体に対して強固に取り付けておく必要があるが、ゴミの分別収集や資源の再利用のため、容器の使用後には、容器本体とは異材質で形成された装着部材を容器本体から分離させる必要が生じている。
【０００３】
そこで、この種の従来の容器には、図７に示すように容器本体５１と、異材質で形成された装着部材５２との間に、板状部材の挿入を許容する隙間５３を形成し、この隙間５３にコインやマイナスドライバー等の板状部材５４を挿入してこじることによって、装着部材５２を容器本体５１から比較的簡単に分離できるようにしたものがある（例えば特開平９−６６９４１、特開平９−２８６４３９）。
【０００４】
【発明が解決しようとする課題】
しかし、従来では、装着部材５２を容器本体５１から分離する際に、コインやマイナスドライバー等を用いる必要があり、この点から装着部材５２を容器本体５１から分離する作業が非常に面倒であった。
本発明は、上記問題点に鑑み、コインやマイナスドライバー等の特別の用具を用いることなく装着部材を容器本体から簡単に分離することができるようにしたものである。
【０００５】
【課題を解決するための手段】
この技術的課題を解決するための本発明の技術的手段は、容器本体１の肩部３に、容器本体１とは異材質で形成された肩パーツである装着部材１１が装着され、容器本体１の肩部３に係止溝７が周方向に略全周に亘って設けられ、装着部材１１の下部に肩部３の係止溝７に下側から係合する係合部１５が設けられた容器において、
容器本体１の肩部３から胴部２側に亘って嵌合凹部１９が設けられ、嵌合凹部１９の上下方向中途部に段部２０が設けられ、肩パーツである装着部材１１に、操作片２２がヒンジ部２３を介して嵌合凹部１９に嵌合するように設けられ、装着部材１１の操作片２２側に、作用片２４が段部２０上に沿うように突設されて、操作片２２をヒンジ部２３で屈曲するように操作したとき、作用片２４の先端側が段部２０に押圧接当して該作用片２４の先端側を支点に作用片２４が回動することにより、作用片２４が装着部材１１を容器本体１から離間させるべく押圧作用するように構成され、嵌合凹部１９に対応する部分の肩部３の係止溝７は嵌合凹部１９の形成によって切り欠かれている点にある。
【０００６】
従って、操作片２２をヒンジ部２３で屈曲するように操作することにより、作用片２４で装着部材１１を容器本体１から離間させることができ、コインやマイナスドライバー等の特別の用具を用いることなく装着部材１１を容器本体１から簡単に分離することができる。
また、操作片２２を容器本体１の嵌合凹部１９に嵌合することにより、容器の使用前や使用の際に、操作片２２が容器本体１から大きく突出しなくなって、操作片２２が邪魔にならなくなる。
【０００７】
また、操作片２２をヒンジ部２３で屈曲するように操作したときに、容器本体１に設けた段部２０をうまく利用して、作用片２４により、効率よく装着部材１１を容器本体１から離間させることができる。
【０００８】
【発明の実施の形態】
以下、本発明の実施の形態について図を参照しながら説明する。
図１〜図５において、１は瓶、缶又は合成樹脂等で形成された容器本体で、容器本体１は、楕円形の筒状に形成された胴部２を有すると共に、その上端部に肩部３を介して小径の口部４が形成されている。なお、口部４の外周には雄ねじ５が形成されており、この口部４に図示省略のキャップが着脱自在に螺合されるようになっている。
【０００９】
容器本体１の肩部３には、胴部２に比べてやや細く形成され取付部６が設けられ、取付部６の下端側に係止溝７が周方向に略全周に亘って設けられている。
１１は肩パーツである装着部材で、容器本体１とは異材質の合成樹脂その他により形成されている。装着部材１１は容器本体１の胴部２に対応する楕円形状の天壁１２と周壁１３とを有し、周壁１３の下部には肩部３の係止溝７に下側から係合する係合部１５が設けられている。装着部材１１の天壁１２に口部４に対応する挿通孔１６が設けられ、装着部材１１は挿通孔１６を介して口部４に挿通されて、肩部３の取付部６に外嵌装着され、係合部１５の係止溝７への係合によって、装着部材１１は肩部から不測に外れないようになっている。
【００１０】
容器本体１の肩部３から胴部２側に亘って嵌合凹部１９が設けられ、嵌合凹部１９に段部２０が設けられている。
前記装着部材１１に、操作片２２が肉薄のヒンジ部２３を介して下方突出状に設けられると共に、操作片２２の操作により装着部材１１を容器本体１から離間させるように作用する作用片２４が設けられている。
前記操作片２２は嵌合凹部１９に対応する位置に突出されて、嵌合凹部１９に嵌脱自在に嵌合されている。前記作用片２４は装着部材１１の操作片２２側に、段部２０上に沿うように内方に突設され、操作片２２をヒンジ部２３で屈曲するように操作したとき、作用片２４の先端側が段部２０に押圧接当して該作用片２４の先端側を支点に作用片２４が回動することにより、作用片２４が装着部材１１を容器本体１から離間させるべく押圧作用するようになっている。
【００１１】
なお、図３に示す如く操作片２２を嵌合凹部１９に嵌合させた状態で、操作片２２の先端部が嵌合凹部１９の下端よりもやや上方に位置するようになっており、操作片２２をヒンジ部２３で屈曲操作する際に、嵌合凹部１９の下端部に指を挿入することによって、操作片２２の先端部に指を簡単に引っ掛けることができるようになっている。
上記実施の形態によれば、容器を使用する前乃至使用する際には、装着部材１１は挿通孔１６を介して口部４に挿通されて、肩部３の取付部６に外嵌装着された状態になっており、係合部１５の係止溝７への係合によって、装着部材１１は肩部３から不測に外れないように容器本体１に強固に重合保持されている。また、このとき、操作片２２は嵌合凹部１９に嵌合されその略全体が嵌合凹部１９内に収まり、作用片２４は段部２０上に沿うように配置された状態になっている。
【００１２】
そして、容器を使用した後にこの容器を廃棄等する際には、図３に示す如く嵌合凹部１９に操作片２２が嵌合した状態から、例えば操作片２２の先端部に指を引っ掛けて、図４に示す如く操作片２２をヒンジ部２３で屈曲するように回動操作すると、作用片２４の先端側が段部２０に押圧接当して該作用片２４の先端側を支点に作用片２４が回動することにより、作用片２４が装着部材１１を容器本体１に対して上方に押圧するように作用し、容器本体１の肩部３から装着部材１１を上方に離間させる。従って、コインやマイナスドライバー等の特別の用具を用いることなく装着部材１１を容器本体１から簡単に分離することができる。
【００１３】
図６は他の実施形態を示し、肩パーツである装着部材１１を、天壁３１と内周壁３２と外周壁３３とを有する二重筒状に形成し、内周壁３２の下端部に、容器本体１１の肩部３の係止溝７に係合する係合部１５を設けるようにしたものである。その他の点は前記実施の形態の場合と同様の構成である。
なお、前記実施の形態では、装着部材１１を容器本体１の肩部３に装着するようにしているが、これに代え、装着部材１１を容器本体１の底部その他の位置に装着するようにしてもよい。
【００１４】
また、前記実施の形態では、ヒンジ部２３を肉薄に形成しているが、ヒンジ部２３は屈曲自在であればよく、操作片２２等と同一の肉厚に形成するようにしてもよい。
【００１５】
【発明の効果】
本発明によれば、コインやマイナスドライバー等の特別の用具を用いることなく装着部材１１を容器本体１から簡単に分離することができる。
【図面の簡単な説明】
【図１】  本発明の一実施の形態を示す容器の分解斜視図である。
【図２】  同容器の斜視図である。
【図３】  同容器の側面断面図である。
【図４】  同容器本体から装着部材を分離する動作を示す側面断面図である。
【図５】  同容器の側面図である。
【図６】  他の実施の形態を示す容器の側面断面図である。
【図７】  従来例を示す容器の半欠側面断面図である。
【符号の説明】
１      容器本体
３      肩部
１１      装着部材
１９      嵌合凹部
２０      段部
２２      操作部
２３      ヒンジ部
２４      作用片
【図１】
0003950541.tif 000002
【図２】
0003950541.tif 000003
【図３】
0003950541.tif 000004
【図４】
0003950541.tif 000005
【図５】
0003950541.tif 000006
【図６】
0003950541.tif 000007
【図７】
0003950541.tif 000008